(57)【要約】【課題】  習熟を必要とすることなく、スピーカの故障の有無を検査することができるようにする。【解決手段】  試験信号発生部１２は、周期的な試験信号によりスピーカ２２を駆動する。点滅駆動部１３は、試験信号の正のピークおよび負のピークにおいて光源３０からスピーカ２２の振動部に点滅光を出力させる。その際、光の照射された振動部が２重に見えるか否かによりスピーカ２２が動作しているか否かを判定する。【選択図】      図１
2006279754.tif 000002
【特許請求の範囲】
【請求項１】
周期的な試験信号によりスピーカを駆動するとともに、周期的に点滅する光を前記スピーカの振動部に照射し、前記光の照射された振動部を観察することにより前記スピーカが動作しているか否かを検査することを特徴とするスピーカ検査方法。
【請求項２】
スピーカを駆動する周期的な試験信号を発生する試験信号発生手段と、
前記スピーカの振動部を照らす光源を周期的に点滅駆動する点滅駆動手段と
を具備することを特徴とするスピーカ検査装置。
【請求項３】
前記点滅駆動手段は、前記試験信号と同期したタイミングで前記点滅駆動を行うことを特徴とする請求項２に記載のスピーカ検査装置。
【請求項４】
前記点滅駆動手段は、前記試験信号の周期のｎ＋（１／２）倍（ｎは整数）の周期で前記光源を点灯させることを特徴とする請求項３に記載のスピーカ検査装置。
【請求項５】
前記点滅駆動手段は、前記試験信号の周波数と異なる周波数で前記点滅駆動を行うことを特徴とする請求項２に記載のスピーカ検査装置。
【請求項６】
請求項２〜５のいずれか１の請求項に記載のスピーカ検査装置を有する音響再生装置。
【発明の詳細な説明】
【技術分野】
【０００１】
本発明は、スピーカの断線等の故障の有無の検査に好適なスピーカ検査方法、スピーカ検査装置および音響再生装置に関する。
【背景技術】
【０００２】
音響再生装置においては、過大な電流の通電などの原因により、スピーカユニット内のコイルの断線などの故障が発生する場合がある。スピーカアレイなどの多数のスピーカユニットを備えた音響再生装置において一部のスピーカユニットにこのような故障が発生した場合、多数のスピーカユニットの中から故障しているスピーカユニットを探し出すのは容易ではない。このため、個々のスピーカユニットが正常に動作しているか否かを検査する簡便な手段が求められる。スピーカの検査に関連する従来技術として、非特許文献１は、スピーカに試験信号を供給するアナログ・オーディオジェネレータと、スピーカから出力される音をマイクにより取得し、その解析を行うアナログ・オーディオアナライザとを用いる検査方法を提案している。また、このような検査方法の他、左右のスピーカから出力される２チャネル分の音をマイクにより採取して、これらをオシロシコープに与え、リサージュ図形を表示させ、各スピーカの出力状態を調べる検査方法もある。
【特許文献１】特開２０００−１０２０８９号公報
【非特許文献１】ＮＴＩ社製品紹介  Ｍｉｎｓｔｒｕｍｅｎｔｓ、［２００５年３月２１日検索］、インターネット＜ＵＲＬ：http://www.nti-japan.com/products/1_mins.html＞
【発明の開示】
【発明が解決しようとする課題】
【０００３】
ところで、上述した非特許文献１に開示された検査方法では、検出される音声が、周囲の暗騒音、受音するマイクロホンの設置条件、向きなどの影響を受ける。従って、この検査方法は、誰でも容易に実施することができるものではない。また、オシロスコープを用いる検査方法は、詳細な計測が可能ではあるが、操作に専門的な知識が必要である。従って、この検査方法も、誰でも容易に実施することができるものではない。以上のように、従来提供されていた故障検査のための手段は、誰もが実施することができる簡便なものではなかった。
【０００４】
この発明は、以上説明した事情に鑑みてなされたものであり、習熟を必要とすることなく、スピーカの故障の有無を検査することができるスピーカ検査方法、スピーカ検査装置および音響再生装置を提供することを目的とする。
【課題を解決するための手段】
【０００５】
この発明は、周期的な試験信号によりスピーカを駆動するとともに、周期的に点滅する光を前記スピーカの振動部に照射し、前記光の照射された振動部を観察することにより前記スピーカが動作しているか否かを検査することを特徴とするスピーカ検査方法を提供する。
また、この発明は、スピーカを駆動する周期的な試験信号を発生する試験信号発生手段と、前記スピーカの振動部を照らす光源を周期的に点滅駆動する点滅駆動手段とを具備することを特徴とするスピーカ検査装置を提供する。
かかるスピーカ検査方法およびスピーカ検査装置によれば、周期的な試験信号によりスピーカが駆動され、このスピーカの振動部に光源からの点滅光が照射されるため、振動部が振動している場合とそうでない場合とで振動部の見え方が異なったものとなる。従って、スピーカが故障しているか否かを容易に判断することができる。
好ましい態様において、前記点滅駆動手段は、前記試験信号と同期したタイミングで前記点滅駆動を行う。
この態様において、前記点滅駆動手段は、例えば前記試験信号の周期のｎ＋（１／２）倍（ｎは整数）の周期で前記光源を点灯させる。
他の好ましい態様において、前記点滅駆動手段は、前記試験信号の周波数と異なる周波数で前記点滅駆動を行う。
以上挙げたスピーカ検査装置は、音響再生装置内に設けてもよい。
【発明を実施するための最良の形態】
【０００６】
以下、図面を参照し、本発明の実施の形態について説明する。
図１は、この発明の一実施形態であるスピーカ検査装置１０の構成を示すブロック図である。図１において、制御部１１は、ＣＰＵ、ＲＯＭ、ＲＡＭなどからなり、ＲＯＭ内に予め記憶した制御プログラムに従って、スピーカ検査装置１０内の各部を制御する制御中枢である。試験信号発生部１２は、制御部１１による制御の下、周期的な試験信号を発生する装置である。この試験信号は、検査対象であるスピーカ２２を駆動するアンプ２１に供給される。図１では、図面が煩雑になるのを防止するため、アンプ２１およびスピーカ２２が各々１個示されているが、好ましい態様では、スピーカアレイなどの多数のスピーカユニットが検査対象とされる。この態様において、試験信号は、スピーカアレイの各スピーカユニットを駆動する各アンプに供給される。検査対象であるスピーカ２２は、フロントグリルが取り外され、振動部たるコーン紙やセンタキャップを露出させており、その前方には、振動部を照らす光を出力する光源３０が配置される。点滅駆動部１３は、制御部１１による制御の下、試験信号と同期したタイミングでこの光源３０を駆動する手段である。操作部１４は、ユーザの操作を受け付け、各種のコマンドを制御部１１に与える装置である。
【０００７】
次に本実施形態の動作を説明する。制御部１１は、操作部１４の操作により検査開始のコマンドが与えられると、試験信号発生部１２による試験信号の発生および点滅駆動部１３による光源３０の駆動を開始させる。図２は、これにより試験信号発生部１２から出力される試験信号の波形と光源３０から出力される点滅光を示している。本実施形態では、図２（ａ）に示すように、一定周期の正弦波信号が試験信号発生部１２からアンプ２１に供給される。また、点滅駆動部１３は、図２（ｂ）または（ｃ）に示すように、試験信号の周期のｎ＋（１／２）倍（ｎ＝０、１、２、〜）の周期で光源３０から点滅光を出力させる。ここで、図２（ｂ）はｎ＝１である場合における点滅光、図２（ｃ）はｎ＝２である場合における点滅光の発生タイミングを示している。これらの図に示すように、点滅駆動部１３による光源３０の駆動は試験信号と同期して行われ、試験信号が正のピークとなるタイミングおよび負のピークとなるタイミングにおいて光源３０から光が出力される。
【０００８】
このようにして発生される試験信号によりスピーカ２２の駆動が行われ、光源３０からスピーカ２２に点滅光が照射されると、スピーカ２２が正常に動作しているか否かを目視により確認することが可能になる。図３（ａ）に示す例では、スピーカ２２のコイルが断線しており、試験信号がスピーカ２２に与えられているにも拘わらず、振動部たるコーン紙２２aおよびセンタキャップ２２ｂは振動していない。この状態では、ユーザの目に映るコーン紙２２ａおよびセンタキャップ２２ｂの輪郭は、通常通りのものとなる。ところが、スピーカ２２が正常に動作している場合には、図３（ｂ）に例示するように、試験信号に同期してコーン紙２２ａおよびセンタキャップ２２ｂが振動する。そして、試験信号に同期したタイミングで点滅光が照射されると、コーン紙２２ａおよびセンタキャップ２２ｂは、実線によって示すように最も退いたタイミングおよび破線によって示すように最も前方に飛び出したタイミングにおいて点滅光により照らされる。このため、ユーザの目には、コーン紙２２ａおよびセンタキャップ２２ｂの輪郭が２重になって映る。
【０００９】
以上のように、本実施形態におけるスピーカ検査装置１０を用いた検査方法では、スピーカが故障している場合と正常に動作している場合とでスピーカ２２の振動部の見え方が明らかに異なったものとなるため、ユーザは容易にスピーカ２２の故障の有無を判定することができる。
【００１０】
＜他の実施形態＞
以上、本発明の一実施形態について説明したが、本発明にはこれら以外にも各種の実施形態が考えられる。例えば次の通りである。
【００１１】
（１）上記実施形態では、目視によりスピーカの故障の有無の判定を行ったが、スピーカ２２の前面の画像を撮影するカメラを設け、制御部１１がこのカメラによって撮影されるスピーカ前面の画像においてコーン紙２２ａおよびセンタキャップ２２ｂの輪郭が２重になっているか否かを解析し、この解析結果に基づきスピーカ２２の故障の有無を判定するようにしてもよい。
【００１２】
（２）上記実施形態では、試験信号の周期Ｔのｎ＋（１／２）倍（ｎ＝０、１、２、〜）倍の周期で点滅光を発生させたが、点滅光の周期を｛ｎ＋（１／２）｝Ｔから微妙にずらした周期としてもよい。このようにすると、スピーカ２２が正常に動作しているときには、点滅光によって照らされるコーン紙２２ａおよびセンタキャップ２２ｂの状態が時間経過とともに変化し、スピーカ２２の前面部分の見え方が時間経過とともに変化する。従って、スピーカ２２が正常に動作しているか否かの確認が容易になる。
【００１３】
（３）スピーカ検査装置を用いたスピーカの検査を容易に実施することができるように検査対象となる装置を改良してもよい。以下、その例を示す。図４は、スピーカの故障の検査を容易に実施することができるように改良されたオーディオアンプ１００の構成を示すブロック図である。このオーディオアンプ１００は、ＣＤ再生装置やチューナ等のオーディオソースから複数チャネルの音声信号を受け取るための入力端子１０１と、これらの入力端子１０１を介して入力される音声信号を増幅し、スピーカ接続端子１０３に接続されたスピーカに供給する複数チャネル分の増幅器１０２とを有している。そして、各入力端子１０１と各増幅器１０２との間には、加算器１０４が各々介挿されている。これらの加算器１０４の２つの入力端子には、入力端子１０１と、図１に示すスピーカ検査装置１０からの試験信号を受け取るための入力端子１０５が接続されている。通常動作時においては、入力端子１０１を介して入力される音声信号が加算器１０４を介して増幅器１０２に入力され、この増幅器１０２の出力信号がスピーカ接続端子１０４に接続されたスピーカに供給される。一方、スピーカの故障の検査の際には、スピーカ検査装置１０から出力される試験信号が入力端子１０５および加算器１０４を介して増幅器１０２に入力され、増幅器１０２によって増幅された試験信号がスピーカ接続端子１０４に接続されたスピーカに供給される。また、上記実施形態において説明したように、スピーカ検査装置１０により試験信号に同期したタイミングで光源３０の点滅駆動が行われる。従って、ユーザはこの光源３０から出力される点滅光をスピーカ接続端子１０４に接続された所望のスピーカの前面に照射することにより当該スピーカの故障の有無を検査することができる。
【００１４】
図５は、信号処理装置２０１とスピーカアレイ２０２とを含み、スピーカアレイ２０２の各スピーカの故障の検査を容易に実施することができるように改良された音響再生装置２００の構成例を示している。この音響再生装置２００は、入力端子２０３を介してスピーカ検査装置１０に接続されるように構成されている。また、信号処理装置２０１とスピーカアレイ２０２との間には加算器群２０４が介挿されている。通常動作時、信号処理装置２０１は、前段のオーディオソースから供給される音声信号から複数の遅延音声信号を生成する。これらの遅延音声信号は加算器群２０４を介してスピーカアレイ２０２の各スピーカに供給される。ここで、信号処理装置２０１から出力される各遅延音声信号の位相または遅延時間およびレベルは、スピーカアレイ２０２から出力する音響ビームの方向および指向性の鋭さに応じて制御される。そして、スピーカ検査装置１０によるスピーカの故障の検査が行われるときには、スピーカ検査装置１０からの試験信号が、入力端子２０３および加算器群２０４を介してスピーカアレイ２０２における全てのスピーカに供給される。また、スピーカ検査装置１０により試験信号に同期したタイミングで光源３０の点滅駆動が行われる。従って、ユーザはこの光源３０から出力される点滅光をスピーカアレイ２０２の各スピーカの前面に照射することによりスピーカの故障の有無を検査することができる。
【００１５】
（４）検査対象であるスピーカを含む装置内にスピーカ検査装置１０を内蔵させてもよい。例えば図５に示す例では、破線３００によって囲まれた全体を音響再生装置内に収めてもよい。この場合において、スピーカ検査装置１０の機能を信号処理装置２０１が営むように構成してもよい。
【００１６】
（５）操作部１４の操作により試験信号の周波数と点滅光の点滅周波数とを調整することができるように構成してもよい。
（６）操作部１４の操作により試験信号波形と光源３０を駆動波形との位相差を調整することができるように構成してもよい。
（７）上記実施形態では、試験信号として正弦波信号を用いたが、試験信号は、周期的であれば、矩形波信号、三角波信号であってもよい。
【図面の簡単な説明】
【００１７】
【図１】この発明の一実施形態であるスピーカ検査装置の構成を示すブロック図である。
【図２】同実施形態の動作を示す波形図である。
【図３】同実施形態の効果を説明する図である。
【図４】この発明の他の実施形態におけるオーディオアンプの構成例を示すブロック図である。
【図５】この発明の他の実施形態である音響再生装置の構成例を示すブロック図である。
【符号の説明】
【００１８】
１２…試験信号発生部、１３…点滅駆動部、２２…スピーカ、３０…光源。
【図１】
2006279754.tif 000003
【図２】
2006279754.tif 000004
【図３】
2006279754.tif 000005
【図４】
2006279754.tif 000006
【図５】
2006279754.tif 000007